(57)【要約】  【課題】  通常はフェンスとしての役目を十分に果たし得るものでありながら、地震発生時の変形破損や破壊を防止することができるエキスパンション構造のフェンスを提供する。【解決手段】  隣接する建物躯体Ａ，Ｂに近接して少なくとも一方が建物躯体と一体化した状態に立設された支柱１Ａ，１Ｂそれぞれに、上下軸心周りに回転自由な状態で上下複数段に取り付けられた剛性材料製可動部材２Ａ，２Ｂに、弾性ゴム製棒状部材５とステンレス等の剛性材料製パイプ６とをその長手方向に沿って相対スライド移動可能に嵌合連結した横柵部材４の両端部を固定してなり、弾性ゴム製棒状部材５自体の弾性伸縮及びパイプ６と棒状部材５の相対スライド移動により横柵部材４を水平方向の所定範囲に亘って伸張収縮可能に構成している。  【選択図】      図２
2008297732.tif 000002
【特許請求の範囲】
【請求項１】
隣接する建物躯体間に亘って架設されて両建物躯体間に形成される間隙の出入口部を遮閉するエキスパンション構造のフェンスであって、
前記両建物躯体に少なくとも一方が一体化される状態に立設された支柱それぞれに、上下軸心周りに回転自由な剛性材料製可動部材を上下複数段に取り付け、これら上下複数段の剛性材料製可動部材で同一水平面内に対向位置する各段の可動部材に、弾性ゴム製棒状部材と剛性材料製パイプとをその長手方向に沿って相対スライド移動可能に嵌合連結した横柵部材の両端部を固定してなり、前記弾性ゴム製棒状部材自体の弾性伸縮及び前記パイプと棒状部材の相対スライド移動により前記横柵部材を水平方向の所定範囲に亘って伸張収縮可能に構成していることを特徴とするエキスパンション構造のフェンス。
【請求項２】
前記横柵部材の剛性材料製パイプで上下に隣接するパイプ間には、剛性材料製縦柵部材が掛け渡し固定されている請求項１に記載のエキスパンション構造のフェンス。
【請求項３】
前記剛性材料製パイプが、ステンレス又は耐蝕性樹脂から構成されている請求項１または２に記載のエキスパンション構造のフェンス。
【請求項４】
前記隣接する建物躯体のうちの少なくとも一方の建物躯体が、免震構造を採用したものである請求項１ないし３のいずれかに記載のエキスパンション構造のフェンス。
【発明の詳細な説明】
【技術分野】
【０００１】
本発明は、例えばビルなど隣接する建物躯体間に亘って架設されて両建物躯体間に形成される間隙の出入口部を遮閉するように用いられるエキスパンション構造のフェンスに関する。
【背景技術】
【０００２】
隣接する建物躯体、特に免震構造が採用された建物躯体同士や免震構造が採用された建物躯体と非免震構造の建物躯体とを、例えば連絡橋などで繋ぐにあたっては、両建物躯体を相互に力学的に接続することが必要であり、その接続手段として、地震時に相互に力学上有害な影響を及ぼし合わないような追従性を発揮させるべく両建物躯体をそれらの底部付近で伸張収縮可能に接続する各種構造のエキスパンションジョイントが開発され実用化されている（例えば、特許文献１，２参照）。
【０００３】
【特許文献１】特開平０９−２５６４８２号公報
【特許文献２】特開平１０−０１８４４４号公報
【発明の開示】
【発明が解決しようとする課題】
【０００４】
上記特許文献１，２に示されているものは、あくまでも隣接する建物躯体同士をそれらの底部付近で接続するエキスパンションジョイントであり、このエキスパンションジョイントで接続された建物躯体間に形成される間隙の出入口部を遮閉するために設置されるフェンスに関しては、例えばステンレスやアルミニュームなど多数の剛性材料製柵部材を縦横に組み合せたものや、その縦横の柵部材に金属板を固定したものなど極く一般的に見受けられるように全体を剛性一体化した構造のフェンスが使用されていた。
【０００５】
そのため、地震発生時には、隣接する建物躯体の水平二次元方向の相対的な移動によって変形破損したり、完全に破壊したりして再使用不能な状態になることが多く、地震発生の度に新しいもの（フェンス）に取替えるなどランニングコストが高くつくという問題があった。
【０００６】
本発明は上記の実情に鑑みてなされたもので、通常はフェンスとしての役目を十分に果たし得るものでありながら、地震発生時の変形破損や破壊を防止することができるエキスパンション構造のフェンスを提供することを目的としている。
【課題を解決するための手段】
【０００７】
上記目的を達成するために、本発明に係るエキスパンション構造のフェンスは、隣接する建物躯体間に亘って架設されて両建物躯体間に形成される間隙の出入口部を遮閉するエキスパンション構造のフェンスであって、前記両建物躯体に少なくとも一方が一体化される状態に立設された支柱それぞれに、上下軸心周りに回転自由な剛性材料製可動部材を上下複数段に取り付け、これら上下複数段の剛性材料製可動部材で同一水平面内に対向位置する各段の可動部材に、弾性ゴム製棒状部材と剛性材料製パイプとをその長手方向に沿って相対スライド移動可能に嵌合連結した横柵部材の両端部を固定してなり、前記弾性ゴム製棒状部材自体の弾性伸縮及び前記パイプと棒状部材の相対スライド移動により前記横柵部材を水平方向の所定範囲に亘って伸張収縮可能に構成していることを特徴としている。
【発明の効果】
【０００８】
上記のような特徴構成を有する本発明によれば、通常は、隣接する建物躯体に少なくとも一方が一体化される状態に立設された支柱間に亘って上下複数段に横柵部材が架設されていて、フェンスとしての役目を十分に果たすものでありながら、地震発生時には、横柵部材を構成する弾性ゴム製棒状部材自体の弾性伸縮及び該棒状部材と剛性材料製パイプとの長手方向に沿った相対スライド移動並びに横柵部材両端部を固定する可動部材の支柱に対する上下軸心周りの回転の組み合わせにより水平二次元方向の広い範囲に亘って伸張収縮作用が発揮され、これによって、地震時の変形力に十分に対応させて変形破損や破壊を防ぐことができ、地震発生の度に新しいものに取替えるなどのコスト負担を招くことなく、一つのフェンスの耐久寿命を増大することができるという効果を奏する。
【０００９】
本発明に係るエキスパンション構造のフェンスにおいては、請求項２に記載のように、前記横柵部材の剛性材料製パイプで上下に隣接するパイプ間に、剛性材料製縦柵部材が掛け渡し固定されていることが好ましい。この場合は、横柵部材のパイプ同士を縦柵部材で連結し補強してフェンス全体を頑丈に構成することができる。
【００１０】
また、本発明に係るエキスパンション構造のフェンスにおいて、請求項３に記載のように、前記横柵部材を構成する剛性材料製パイプが、ステンレス又は耐蝕性樹脂から構成されていることが望ましい。この場合は、防錆、防食処理が不要で、メンテナンスフリーのままで長期使用することができる。
【００１１】
さらに、本発明に係るエキスパンション構造のフェンスは、請求項４に記載のように、前記隣接する建物躯体のうちの少なくとも一方の建物躯体が、免震構造を採用したものである場合において特に有効に適用することができる。ただし、隣接する建物躯体が共に非免震構造の建物躯体であってもよいこともちろんである。
心おいては、前記補強部材が、外周ゴム膜部分における内外方向幅の略中央部に付設ま
【発明を実施するための最良の形態】
【００１２】
以下、本発明の実施の形態を図面にもとづいて説明する。
図１は本発明に係るエキスパンション構造のフェンスの設置場所を説明する概略平面図であり、そのフェンスＦは、隣接するビル等の建物躯体Ａ，Ｂ間に形成される間隙Ｓの出入口部を遮閉するように両建物躯体Ａ，Ｂ間に亘って架設される。ここで、隣接する建物躯体Ａ，Ｂは両者が共に免震構造を採用したものであっても、一方の建物躯体ＡまたはＢが免震構造を採用したもので他方の建物躯体ＢまたはＡが非免震構造のものであっても、両建物躯体Ａ，Ｂが共に非免震構造のものであってもよい。
【００１３】
なお、図示は省略するが、隣接する建物躯体Ａ，Ｂは、例えば連絡橋などで繋がれており、それに伴い、両建物躯体Ａ，Ｂ間は地震時に相互に力学上有害な影響を及ぼし合わないような追従性を有するエキスパンジョンジョイントを介して接続されている。
【００１４】
前記エキスパンション構造のフェンスＦは、図２及び図３に明示するように構成されている。
すなわち、隣接する建物躯体Ａ，Ｂそれぞれに近接する箇所には、床面ＧＬから上方に向けて垂直姿勢で支柱１Ａ，１Ｂがそれぞれ建物躯体Ａ，Ｂに強度的に一体化される状態に立設されている。これら支柱１Ａ，１Ｂにはそれぞれ、ステンレスなど耐蝕性を有する剛性材料製で略横向きＵ字形状の可動部材２Ａ，２Ｂがその屈曲部２ａ１，２ｂ１において蝶番などピン構造の枢支部材３Ａ，３Ｂを介して上下軸心周りに回転自由な状態で上下複数段（図面上では二段で示すが、三段以上であってもよい。）に取り付けられている。
【００１５】
前記各可動部材２Ａ，２Ｂは、屈曲部２ａ１，２ｂ１を挟んで上下二つの水平突出端部２ａ２，２ｂ２を有しており、同一水平面内で対向位置する上下各水平突出端部２ａ２，２ｂ２間には、それぞれ後述する横柵部材４が上下で計４本架設されている。これら横柵部材４は、弾性ゴム製棒状部材５とステンレス又は耐蝕性硬質樹脂等の剛性材料製パイプ６とをその長手方向に沿って一定範囲に亘り相対スライド移動可能に嵌合連結して構成されており、このような横柵部材４の長手方向一端となる前記弾性ゴム製棒状部材５の一端部側に固着した口金７を前記可動部材２Ａ，２Ｂの水平突出端部２ａ２，２ｂ２に固定し、かつ、横柵部材４の長手方向他端となる前記パイプ６の他端部を前記可動部材２Ｂ，２Ａの水平突出端部２ｂ２，２ａ２に固定することにより、各横柵部材４が可動部材２Ａ，２Ｂ間に亘って架設されている。
【００１６】
前記横柵部材４のうち、最上部及び最下部のものを除く中間部に位置する上下２本の横柵部材４，４の剛性材料製パイプ６，６間には、水平方向に適宜間隔を隔てて複数本のステンレス又は耐蝕性硬質樹脂等の剛性材料製縦柵部材８が掛け渡し固定されている。また、最下部に位置する横柵部材４の剛性材料製パイプ６及び一方の可動部材２Ａの下部の水平突出端部２ａ２には、床面ＧＬに形成の溝９内に落とし込むことにより、フェンスＦ全体を位置固定するロックピン１０が取り付けられている。
【００１７】
上記のように構成されたエキスパンション構造のフェンスＦにおいては、通常時は図２及び図３に示すように、建物躯体Ａ，Ｂ間に形成される間隙Ｓの出入口部を遮閉する状態にロックされているために、フェンスＦとしての役目を確実、十分に果たすべく使用することが可能である。
【００１８】
そして、地震の発生に伴い隣接する建物躯体Ａ，Ｂが相対的に移動したときは、図４及び図５に示すように、横柵部材４を構成する弾性ゴム製棒状部材５自体の弾性伸縮及び該棒状部材５と剛性材料製パイプ６との長手方向に沿った相対スライド移動により水平二次元方向の一方の広い範囲で伸張収縮するとともに、図６に示すように、各横柵部材４の両端部を固定する可動部材２Ａ，２Ｂが支柱１Ａ，１Ｂに対して上下軸心周りで相対回転しながら支柱１Ａ，１Ｂが床面ＧＬに沿って水平二次元方向の他方に相対的に移動することになり、これらの組み合わせにより水平二次元方向の広い範囲に亘って伸張収縮作用が発揮されて地震時の変形力に十分に対応させてフェンスＦの変形破損や破壊を防ぐことができる。
【００１９】
ここで、前記パイプ６及び縦柵部材８をステンレス又は耐蝕性硬質樹脂から構成しておけば、防錆、防食処理が不要で、長年月に亘りメンテナンスフリーで使用することができる。
【００２０】
なお、地震発生時に上述のような挙動を発揮させるためには、ロックピン１０による位置固定を解除することが必要であり、その解除策としては、ロックピン１０を僅かな地震力でせん断されるように小さいせん断強度に設定してもよい。また、微小振動の検出に伴い、このロックピン１０を床面ＧＬの溝９から自動的に引き上げ可能なオートアンロック式のものに構成してもよい。
【００２１】
また、上記実施の形態では、上下に４本の横柵部材４と水平方向に複数本の縦柵部材８を架設したもので説明したが、これに限らず、特に景観性や意匠性が要望される場所に設置使用する場合は、横柵部材４及び縦柵部材８の架設本数や配置形態等を選定して自由にデザイン化することが可能である。
【００２２】
さらに、上記実施の形態では、略横向きＵ字形状の可動部材２Ａ，２Ｂを用いて、それらの上下二つの突出端部２ａ１，２ｂ１間に二本の横柵部材４を架設したもので説明したが、一つの可動部材２Ａ，２Ｂ毎に一本の横柵部材４を架設するように構成してもよいこともちろんである。
【００２３】
さらにまた、上記実施の形態では、支柱１Ａ、１Ｂが隣接する建物躯体Ａ，Ｂに、例えば基礎などを介して強度的に一体化されて立設されたものについて説明したが、いずれか一方の支柱１Ａまたは１Ｂが建物躯体ＡまたはＢに強度的に一体化された状態に立設される場合も上記と同様な効果を奏するものである。
【図面の簡単な説明】
【００２４】
【図１】本発明に係るエキスパンション構造のフェンスの設置場所を説明する概略平面図である。
【図２】通常時の使用形態を示す正面図である。
【図３】通常時の使用形態を示す平面図である。
【図４】地震発生時の挙動状態の一例を示す正面図である。
【図５】地震発生時の挙動状態の他の例を示す正面図である。
【図６】地震発生時の挙動状態のもう一つの例を示す平面図である。
【符号の説明】
【００２５】
１Ａ，１Ｂ  支柱
２Ａ，２Ｂ  可動部材
３Ａ，３Ｂ  ピン構造の枢支部材
４  横柵部材
５  弾性ゴム製棒状部材
６  剛性材料製パイプ
８  縦柵部材
Ａ，Ｂ  建物躯体
Ｆ  フェンス
Ｓ  間隙
【図１】
2008297732.tif 000003
【図２】
2008297732.tif 000004
【図３】
2008297732.tif 000005
【図４】
2008297732.tif 000006
【図５】
2008297732.tif 000007
【図６】
2008297732.tif 000008